(57)【特許請求の範囲】
【請求項１】
圧縮機を保冷庫等に取り付ける圧縮機の取付構造において、
圧縮機の下面に付設された取付板と、
圧縮機を設置するベースと、
前記圧縮機を取付板の長手方向両端部とベースとの間に一対の弾性の第１制振部材を介在させてベースに設置する締結具と、
前記一対の第１制振部材の間に位置し且つ取付板とベースとの間に介在し前記取付板の変形を防止するとともに振動を吸収する弾性の第２制振部材と、
前記ベースに固設され前記第１制振部材及び第２制振部材が圧縮するように圧縮機をベース方向に押圧して固定する固定具とを備え、
圧縮機が設置された前記ベースを保冷庫等における取付面に取り付ける
ことを特徴とする圧縮機の取付構造。
【請求項２】
前記固定具は、圧縮機上部の外面に沿って湾曲した湾曲部を有する板状部材からなり、該湾曲部を圧縮機に押し当てて圧縮機を固定する
ことを特徴とする請求項１記載の圧縮機の取付構造。
【請求項３】
前記固定具の圧縮機との当接面には弾性部材が貼付されている
ことを特徴とする請求項２記載の圧縮機の取付構造。
【請求項４】
前記第２制振部材は、前記第１制振部材とほぼ同じ高さである
ことを特徴とする請求項１〜３何れか１項記載の圧縮機の取付構造。
【請求項５】
ベースと該ベースの取付面との間であって前記締結具の下方には弾性の第３制振部材が介在する
ことを特徴とする請求項１〜４何れか１項記載の圧縮機の取付構造。
【発明の詳細な説明】
【０００１】
【発明の属する技術分野】
本発明は、車載用の蓄冷式保冷庫などの冷却装置を有する機器において、冷却装置を構成する圧縮機を取り付ける取付構造に関する。
【０００２】
【従来の技術】
従来の圧縮機の取付構造について図５を参照して説明する。図５は従来の圧縮機の取付構造を説明する断面図である。ここでは、内部に貯蔵室を形成した保冷庫本体と、保冷庫本体に設けられ前記保冷庫を冷却する冷却装置とを有する保冷庫において、前記冷却装置の構成機器である圧縮機を保冷庫本体に取り付ける取付構造について説明する。
【０００３】
図５に示すように、外形が略円筒形状である圧縮機１１０の下面には、左右水平方向に延びる取付板１１１が溶接等により付設されている。取付板１１１の左右両端部には、ネジ穴が形成されている。圧縮機１１０は、取付板１１１のネジ穴にボルト１１２を上方から挿通させてベース１２０にネジ止めされている。ここで、取付板１１１とベースとの間には、弾性部材からなる制振ゴム１１３が介在している。ベース１２０は、周縁部に下方に延びるフランジを有する鋼板等の板状部材からなり、ボルト１２１により保冷庫本体１３０にネジ止めされている。このような構成により、圧縮機１１０の振動を制振ゴム１１３で吸収し、保冷庫本体１３０への振動の伝達及び騒音の発生を防止している。
【０００４】
【発明が解決しようとする課題】
しかしながら、従来の圧縮機の取付構造は、圧縮機１１０から発生する振動に対しては制振効果を有しているものの、外部からの受ける振動に対しては十分な制振効果を得ることができなかった。例えば、蓄冷剤を備え、トラック等の運搬車両に積載して使用される蓄冷式保冷庫においては、走行中に大きな振動を受けることになる。この振動は、圧縮機１１０から発生する振動とは異なり、多方向且つ不規則なものである。このため、従来の圧縮機の取付構造では十分に振動を吸収することができず、圧縮機本体や接続する配管などが損傷を受ける場合もあった。
【０００５】
本発明は、上記事情に鑑みてなされたものであり、その目的とするところは、高い制振能力を有する圧縮機の取付構造を提供することにある。
【０００６】
【課題を解決するための手段】
上記目的を達成するために、請求項１では、圧縮機を保冷庫等に取り付ける圧縮機の取付構造において、圧縮機の下面に付設された取付板と、圧縮機を設置するベースと、前記圧縮機を取付板の長手方向両端部とベースとの間に一対の弾性の第１制振部材を介在させてベースに設置する締結具と、前記一対の第１制振部材の間に位置し且つ取付板とベースとの間に介在し前記取付板の変形を防止するとともに振動を吸収する弾性の第２制振部材と、前記ベースに固設され前記第１制振部材及び第２制振部材が圧縮するように圧縮機をベース方向に押圧して固定する固定具とを備え、圧縮機が設置された前記ベースを保冷庫等における取付面に取り付けることを特徴とするものを提案する。
【０００７】
本発明によれば、圧縮機の取付板が第１制振部材を介してベースに締結されるとともに、この第１制振部材が圧縮するように圧縮機をベース方向に押圧して固定する固定具をベースに付設したので、外部からの振動に対して圧縮機が大きく揺動することがない。すなわち、圧縮機の振動を抑えることができる。これにより、圧縮機及び配管の損傷を防止できる。また、前記第２制振部材により圧縮機の取付板とベースとの間において振動を確実に吸収することができる。さらに、第２制振部材は取付板の両端におけるベースとの締結部の間に配置されているので、前記固定具による圧縮機のベース方向への押下に対して取付板の変形を防止することができる。つまり、第２制振部材は、取付板の補強部材としても機能する。
【０００８】
本発明の好適な態様の一例として、請求項２では、請求項１記載の圧縮機の取付構造において、前記固定具は、圧縮機上部の外面に沿って湾曲した湾曲部を有する板状部材からなり、該湾曲部を圧縮機に押し当てて圧縮機を固定することを特徴とするものを提案する。
【０００９】
本発明によれば、固定具が圧縮機の外面に沿った湾曲部を有しているので、この固定具による圧縮機のベース方向へ押圧しながらの固定を確実に行うことができる。したがって、圧縮機の制振を確実に行うことができる。
【００１０】
また、他の好適な態様の一例として、請求項３では、請求項２記載の圧縮機の取付構造において、前記固定具の圧縮機との当接面には弾性部材が貼付されていることを特徴とするものを提案する。
【００１１】
本発明によれば、前記弾性部材により固定具と圧縮機との間において振動を吸収するとともに騒音の発生を防止することができる。
【００１２】
さらに、他の好適な態様の一例として、請求項４では、請求項１〜３何れか１項記載の圧縮機の取付構造において、前記第２制振部材は、前記第１制振部材とほぼ同じ高さであることを特徴とするものを提案する。
【００１３】
本発明によれば、前記第２制振部材により圧縮機の取付板とベースとの間において振動を確実に吸収することができるとともに、取付板の変形を確実に防止することができる。
【００１４】
さらに、他の好適な態様の一例として、請求項５では、請求項１〜４何れか１項記載の圧縮機の取付構造において、ベースと該ベースの取付面との間であって前記締結具の下方には弾性の第３制振部材が介在することを特徴とするものを提案する。
【００１５】
本発明によれば、前記第３制振部材によりベースと該ベースの取付面との間において振動を確実に吸収することができる。また、第３制振部材は取付板の両端におけるベースとの締結部の下方に配置されているのでベースの変形を防止することができる。つまり、第３制振部材は、ベースの補強部材としても機能する。
【００１６】
【発明の実施の形態】
本発明の一実施の形態にかかる圧縮機の取付構造について図面を参照して説明する。なお、本実施の形態では、圧縮機の取付先の一例として、内部に貯蔵室及び蓄冷剤を有する保冷庫本体と、蓄冷剤を冷却する冷却装置とを備えた蓄冷式保冷庫を例示する。
【００１７】
まず、蓄冷式保冷庫の構成について図１及び図２を参照して説明する。図１は蓄冷式保冷庫の外観斜視図、図２は蓄冷式保冷庫の側面断面図である。
【００１８】
この蓄冷式保冷庫（以下、「保冷庫」という）１０は、図１に示すように、前面開口の保冷庫本体１１と、保冷庫本体１１の前面開口を開閉する断熱性の扉１２とを備えている。保冷庫本体１１の前面上部には、各種表示及び操作を行うための操作パネル１３が付設されている。また、保冷庫本体１１の前面上部には、交流電源を接続するための電源コネクタ１４が設けられている。この保冷庫１０は、所定の場所（例えばユーザの店舗等）において図示しない電源ケーブルを接続することにより、蓄冷剤の蓄冷及びバッテリ（図示省略）の充電を行う。さらに、保冷庫本体１１の底面四隅には、運搬用の車輪１５が付設されている。
【００１９】
保冷庫本体１１は、図２に示すように、断面略コ字状の断熱材により形成されている。保冷庫本体１１の内側の背面側及び底面側には、保冷庫本体１１の壁面と間隔をおいて背面板１６及び断熱性の底板１７が配置されている。これにより、底板１７の上方及び背面板１６の前方に物品等の貯蔵室１９を形成するとともに、底板１７の下方に蓄冷剤室２０、背面板１６の後方に冷気通路２１を形成している。貯蔵室１９と蓄冷剤室２０は保冷庫本体１１の前部において連通し、蓄冷剤室２０と冷気通路２１とは保冷庫本体１１の後方下部において連通し、冷気通路２１と貯蔵室１９とは保冷庫本体１１の後方上部において連通している。保冷庫本体１１の上部背面側には、機械室２２が形成されている。
【００２０】
蓄冷剤室２０には、庫内を冷却するための蓄冷剤２３と、蓄冷剤２３と熱的に密着して併設する蒸発器２４が配置されている。これにより、蒸発器２４を冷却させると蓄冷剤２３に冷熱が蓄積される。蒸発器２４としては、例えばパイプを蛇行状に形成したものや、表面に溝が蛇行する板状部材と該溝を被覆する板状部材とを貼り合わせて形成したロールボンドと呼ばれるもの等の薄型形状のものが用いられる。
【００２１】
貯蔵室１９には、冷気通路２１の出口付近に送風機２５が設けられている。この送風機２５は、蓄冷剤室２０からの冷気を冷気通路２１を介して貯蔵室１９内に送風することにより、貯蔵室１９を冷却する。
【００２２】
機械室２２には、前記蒸発器２４と接続して冷凍装置を構成する圧縮機２６及び凝縮器２７が配置されている。また、機械室２２には、主として凝縮器２７を冷却する凝縮器ファン２８が配置されている。この機械室２２は、保冷庫１０の外部と連通している。これにより、前記凝縮器ファン２８を駆動させると、機械室２２に外気が導入されるとともに、凝縮器２７で熱交換された空気が機械室２２から排出される。
【００２３】
このような構成により、保冷庫１０は、ユーザの店舗等において冷却装置を駆動させて蓄冷剤２３に冷熱を蓄積させる。一方、トラック等の運搬車両においてはバッテリ（図示省略）を電源として送風機２５の駆動させて貯蔵室１９を所定温度に維持する。
【００２４】
次に、保冷庫１０における圧縮機２６の取付構造の詳細について、図３及び図４を参照して説明する。図３は、蓄冷式保冷庫における圧縮機の取付構造を説明する分解斜視図、図４は蓄冷式保冷庫における圧縮機の取付構造を説明する断面図である。なお、図において圧縮機に接続する各種配管については、説明の簡単のため図示を省略した。
【００２５】
図３及び図４に示すように、圧縮機２６はベース２９に設置され、このベース２９は保冷庫本体１１における機械室２２の底面に設置される。
【００２６】
圧縮機２６は略円筒形状をなしており、底面には一対の取付板３０が溶接等により固設されている。この取付板３０は、圧縮機２６の長手方向に直交する水平方向に張り出すように形成されている。また、この取付板３０は、鋼板等の板状部材を屈曲形成したものであり、長辺には下方に延びるフランジが形成されている。さらに、取付板３０は、長手方向中央部においては圧縮機２６の外面に沿って円弧状に形成されるとともに、この円弧状部の両端から斜め下方に延び、さらに水平に延びるように形成されている。さらに、取付板３０の両端部には、ネジ穴３１が形成されている。圧縮機２６は、この取付板３０のネジ穴３１にボルト３２を上方から挿通させ、このボルト３２をベース２９にネジ止めすることで設置される。
【００２７】
ここで、ベース２９と取付板３０との間には第１の制振部材である弾性のゴム足３３と、第２の制振部材である弾性のゴムブロック３４が介在している。このゴム足３３は、環状に形成されており、中央の挿通孔３３ａに前記ボルト３２を挿通させて配置される。また、ゴム足３３は、直径が取付板３０の幅よりやや小さく、取付板３０の前記フランジ間に配置される。また、ゴムブロック３４は、取付板３０の下方において、左右のゴム足３３の間に配置される。さらに、ゴムブロック３４は、取付板３０の幅よりやや小さい幅を有する略直方体形状のもので、取付板３０のフランジ間に配置される。ゴム足３３とゴムブロック３４の高さは、ほぼ同一となっている。また、ゴム足３３及びゴムブロック３４の材質としては、振動吸収性の良好な部材が好ましく、例えばブチルゴムである。このような構成により、圧縮機２６がベース２９に設置される。
【００２８】
また、圧縮機２６は、固定具３５によりベース２９に更に強固に固定されている。固定具３５は、板状部材を圧縮機２６の外周面に沿うように湾曲させた略Ｕ状の部材である。固定具３５の湾曲部の内側には、弾性のゴムシート３６が貼付されている。固定具３５の両端部は、外側に張り出して形成されており、この張り出し部にはネジ穴３５ａが形成されている。圧縮機２６は、固定具３５のネジ穴３５ａに上方からネジ３７を挿通させて、このネジ３７をベース２９にネジ止めすることにより、固定具３５の湾曲部が圧縮機２６の中央胴体部を下方に押下して固定される。このとき、固定具３５の取付により前記ゴム足３３が適度に圧縮される。これにより、適度な制振作用を得ることができる。
【００２９】
ベース２９は、鋼板等の板状部材を屈曲形成したものであり、左右両辺は下方に延びるとともに、さらに内側に水平に延びるフランジ２９ａが形成された基台である。このベース２９の四隅はネジ穴２９ｂが形成されており、このネジ穴２９ｂに上方からボルト３８を挿通させて該ボルト３８を保冷庫本体１１に固設している。ここで、ベース２９と保冷庫本体１１の取付面との間には、第３の制振部材である弾性のゴムブロック３９が介在している。このゴムブロック３９は、高さがベース２９のフランジ２９ａよりやや大きい略直方体形状のものである。ゴムブロック３９の材質としては、振動吸収性の良好な部材が好ましく、例えばブチルゴムである。このゴムブロック３９は、前記ボルト３２によるベース２９と圧縮機２６との締着部の下方に配置されている。なお、保冷庫本体１１は、屈曲形成した鉄板１１ａの間に断熱材１１ｂを注入して形成されている。
【００３０】
このような圧縮機２６の取付構造では、圧縮機２６の取付板３０が第１制振部材であるゴム足３３を介してベース２９に締結されるとともに、このゴム足３３が適度に圧縮するように圧縮機２６をベース２９方向に押圧して固定する固定具３５をベースに付設したので、外部からの振動に対して圧縮機２６が大きく揺動することがない。すなわち、圧縮機２６の振動を抑えることができる。これにより、圧縮機２６及び配管（図示省略）の損傷を防止できる。また、この固定具３５は、圧縮機２６の外面に沿った湾曲部を有するとともに、湾曲部の内側に弾性のゴムシート３６が貼付されているので、圧縮機２６の固定を確実にし、振動を吸収するとともに騒音の発生を防止することができる。なお、この固定具３５による制振は、特に圧縮機２６に外部から重力方向以外の力が加わった場合に効果が大きい。例えば、保冷庫１０をトラック等に積載して運搬している際に受ける振動・衝撃に対して特に有効である。
【００３１】
また、取付板３０とベース２９との間にはゴム足３３と共に第２の制振部材であるゴムブロック３４が介在しているので、圧縮機２６の取付及び制振がさらに確実なものとなる。また、ゴムブロック３４は取付板３０の下方においてゴム足３３の間に配置されているので、取付板３０の変形を防止することができる。
【００３２】
さらに、ベース２９と保冷庫本体１１との間には第３の制振部材であるゴムブロック３９が介在しているので、圧縮機２６の駆動による振動の制振がさらに確実なものとなる。また、このゴムブロック３９は、前記ボルト３２によるベース２９と圧縮機２６との締着部の下方に配置されているので、ベース２９の変形を防止することができる。つまり、第３制振部材は、ベース２９の補強部材としても機能する。
【００３３】
なお、本実施の形態では、圧縮機の取付先の一例として、トラック等の運搬車両に積載して使用される蓄冷式保冷庫を例示したが、本発明はこれに限定されるものではない。すなわち、圧縮機を有する機器であれば本発明を実施することができる。特に、本実施の形態のように外部からの振動を受けやすい場所で使用される機器において本発明は有効である。
【００３４】
また、本実施の形態では、第１の制振部材としてブチルゴムからなるゴム足を例示したが、本発明はこれに限定されるものではない。すなわち、制振効果を有する部材であれば、他の部材であってもよい。同様に、第２及び第３の制振部材としてブチルゴムからなるゴムブロックを例示したが、本発明はこれに限定されるものではない。すなわち、制振効果を有する部材であれば、他の部材であってもよい。
【００３５】
【発明の効果】
以上詳述したように、請求項１の発明によれば、圧縮機の取付板が第１制振部材を介してベースに締結されるとともに、この第１制振部材が圧縮するように圧縮機をベース方向に押圧して固定する固定具をベースに付設したので、外部からの振動に対して圧縮機が大きく揺動することがない。すなわち、圧縮機の振動を抑えることができる。これにより、圧縮機及び配管の損傷を防止できる。また、前記第２制振部材により圧縮機の取付板とベースとの間において振動を確実に吸収することができる。さらに、第２制振部材は取付板の両端におけるベースとの締結部の間に配置されているので、前記固定具による圧縮機のベース方向への押下に対して取付板の変形を防止することができる。つまり、第２制振部材は、取付板の補強部材としても機能する。
【００３６】
また、請求項２の発明によれば、固定具が圧縮機の外面に沿った湾曲部を有しているので、この固定具による圧縮機のベース方向へ押圧しながらの固定を確実に行うことができる。したがって、圧縮機の制振を確実に行うことができる。
【００３７】
さらに、請求項３の発明によれば、前記弾性部材により固定具と圧縮機との間において振動を吸収するとともに騒音の発生を防止することができる。
【００３８】
さらに、請求項４の発明によれば、第２制振部材により圧縮機の取付板とベースとの間において振動を確実に吸収することができるとともに、取付板の変形を確実に防止することができる。
【００３９】
さらに、請求項５の発明によれば、第３制振部材によりベースと該ベースの取付面との間において振動を確実に吸収することができる。また、第３制振部材は取付部材の両端におけるベースとの締結部の下方に配置されているのでベースの変形を防止することができる。つまり、第３制振部材は、ベースの補強部材としても機能する。
【図面の簡単な説明】
【図１】蓄冷式保冷庫の外観斜視図
【図２】蓄冷式保冷庫の側面断面図
【図３】蓄冷式保冷庫における圧縮機の取付構造を説明する分解斜視図
【図４】蓄冷式保冷庫における圧縮機の取付構造を説明する断面図
【図５】従来の圧縮機の取付構造を説明する断面図
【符号の説明】
１０…蓄冷式保冷庫、１１…保冷庫本体、１９…貯蔵室、２２…機械室、２６…圧縮機、３０…取付板、３３…ゴム足、３４…ゴムブロック、３５…固定具、３６…ゴムシート、３９…ゴムブロック
【図１】
0004053195.tif 000002
【図２】
0004053195.tif 000003
【図３】
0004053195.tif 000004
【図４】
0004053195.tif 000005
【図５】
0004053195.tif 000006